(57)【要約】【課題】単体で接続テストが可能なデジタルカメラダイレクト印刷機能付きプリンタを提供する。【解決手段】ＵＳＢデバイス端子１０３と、ＵＳＢホスト端子１０４と、ＵＳＢデバイス端子１０３を介して接続されたホストコンピュータ又はデジタルカメラから転送される画像データを印刷する印刷手段と、ＵＳＢホスト端子１０４とＵＳＢデバイス端子１０３とがＵＳＢケーブル１０５により接続された状態で、ＵＳＢホスト端子１０４とＵＳＢデバイス端子１０３との間で接続テスト動作を行う自己接続テスト手段とを備える。【選択図】  図１
2008296517.tif 000002
【特許請求の範囲】
【請求項１】
ＵＳＢデバイス端子と、
ＵＳＢホスト端子と、
前記ＵＳＢデバイス端子を介して接続されたホストコンピュータ又はデジタルカメラから転送される画像データを印刷する印刷手段と、
前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テスト手段とを備えることを特徴とするプリンタ。
【請求項２】
ＵＳＢデバイス端子を介して接続されたホストコンピュータ又はデジタルカメラから転送される画像データを印刷する印刷ステップと、
前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テストステップとを有することを特徴とするテスト方法。
【請求項３】
ＵＳＢデバイス端子を介して接続されたホストコンピュータ又はデジタルカメラから転送される画像データを印刷する印刷ステップと、
前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テストステップとをコンピュータに実行させることを特徴とするプログラム。
【発明の詳細な説明】
【技術分野】
【０００１】
本発明はプリンタに関し、詳細にはホストコンピュータから転送される画像データを印刷する機能と、デジタルカメラから転送される画像データを印刷する機能とを備えた、デジタルカメラからのダイレクト印刷が可能なプリンタに関する。
【背景技術】
【０００２】
近年、インクジェットプリンタは写真画質の美しさと、価格の低下によって急速に普及している。そしてデジタルカメラも、手軽さと価格の低下によって急速に普及している。デジタルカメラで撮影された画像は、しばしばホストコンピュータに取り込まれ、インクジェットプリンタで印刷される。
【０００３】
デジタルカメラで撮影された画像は、２００万画素や３００万画素であり、各画素は２５６階調のＲＧＢデータ（レッド、グリーン、ブルー）であり、これがＪＰＥＧ形式などの各種フォーマットで圧縮されて保存されている。
【０００４】
インクジェットプリンタは、記録媒体に対して所定解像度の各格子点に、ＣＭＹＫ（シアン、マゼンタ、イエロー、ブラック）のインクを吐出するかしないかの２階調で記録する。従って、デジタルカメラで撮影された画像を、ホストコンピュータを介してインクジェットプリンタで印刷するときには、まずホストコンピュータによってＪＰＥＧ形式の伸長、画像の向き（縦か横か）の修正を行う。次に、画像解像度の変換、ＲＧＢの多値データからＣＭＹＫの２値データへの変換といった処理を行い、その後インクジェットプリンタにデータ転送する。
【０００５】
一方、ホストコンピュータの操作が不慣れな人や、もっと手軽に印刷したいというユーザを対象として、デジタルカメラとインクジェットプリンタをＵＳＢ接続することにより、ホストコンピュータを介することなくダイレクト印刷できるプリンタが登場している。
【０００６】
このダイレクト印刷プリンタには、特許文献１に示すような、デジタルカメラとプリンタとをＵＳＢ接続すると、プリンタのオペレータパネルからのキー入力によって、デジタルカメラで過去に撮影した画像ファイルを選択して印刷することができるものがある。このシステムにおいては、プリンタの内部にＪＰＥＧ形式の伸長、画像の向き（縦か横か）の修正、画像解像度の変換、ＲＧＢの多値データからＣＭＹＫの２値データへの変換といった処理を行うモジュールが組み込まれている。
【０００７】
【特許文献１】特開２００１−２９０６１２号公報
【発明の開示】
【発明が解決しようとする課題】
【０００８】
しかしながら従来のデジタルカメラダイレクト印刷機能つきプリンタでは、工場での量産時において、ホストコンピュータと接続するＵＳＢデバイス端子の機能だけでなく、デジタルカメラと接続するＵＳＢホスト端子の機能についても動作確認をする必要がある。そのため、デジタルカメラか、あるいは動作確認専用の検査装置を用意する必要があった。
【０００９】
また、市場でユーザが使用しているときに接続不良が発生した場合、プリンタとデジタルカメラのどちらに不具合があるのかを特定するのが困難であった。
【００１０】
本発明はこのような状況に鑑みてなされたものであり、単体で接続テストが可能なデジタルカメラダイレクト印刷機能付きプリンタを提供することを目的とする。
【課題を解決するための手段】
【００１１】
本発明のプリンタは、ＵＳＢデバイス端子と、ＵＳＢホスト端子と、前記ＵＳＢデバイス端子を介して接続されたホストコンピュータ又はデジタルカメラから転送される画像データを印刷する印刷手段と、前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テスト手段とを備えることを特徴とする。
また、本発明のテスト方法は、ＵＳＢデバイス端子を介して接続されたホストコンピュータ又はデジタルカメラから転送される画像データを印刷する印刷ステップと、前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テストステップとを有することを特徴とする。
また、本発明のプログラムは、ＵＳＢデバイス端子を介して接続されたホストコンピュータ又はデジタルカメラから転送される画像データを印刷する印刷ステップと、前記ＵＳＢホスト端子と前記ＵＳＢデバイス端子とがＵＳＢケーブルにより接続された状態で、前記ＵＳＢホスト端子と前記ＵＳＢデバイス端子との間で接続テスト動作を行う自己接続テストステップとをコンピュータに実行させることを特徴とする。
【発明の効果】
【００１２】
本発明によれば、単体で接続テストが可能なデジタルカメラダイレクト印刷機能付きプリンタを提供することができる。
【発明を実施するための最良の形態】
【００１３】
以下、本発明の実施の形態を図を用いて説明する。図１は、本発明の実施形態としてのプリンタとホストコンピュータの接続状態を説明する斜視図である。
【００１４】
インクジェットプリンタ１０１には、プリンタを操作するためのオペレータパネル１０２と、ホストコンピュータ２０１と接続するためのＵＳＢデバイス端子１０３と、デジタルカメラと接続するためのＵＳＢホスト端子１０４とが備えられている。
【００１５】
また、ＵＳＢデバイス端子１０３はＵＳＢケーブル１０５によってホストコンピュータ２０１のＵＳＢホスト端子２０２と接続される。
【００１６】
図２は、本発明の実施形態としてのプリンタとデジタルカメラの接続状態を説明する斜視図である。
【００１７】
インクジェットプリンタ１０１に備えられたＵＳＢホスト端子１０４は、ＵＳＢケーブル１０５によってデジタルカメラ３０１のＵＳＢデバイス端子３０２と接続される。
【００１８】
図３は、本発明の実施形態としてのプリンタとホストコンピュータの接続状態を説明するブロック図である。インクジェットプリンタ１０１では、ＲＯＭ４０２に格納された制御プログラムに従って、ＣＰＵ４０１が、ＲＡＭ４０３を作業領域としてプリンタ機構部４０４を制御する。ＵＳＢデバイスインターフェース部４０６は、ホストコンピュータとの接続を制御し、ＣＰＵ４０１との通信を確立する。ＵＳＢホストインターフェース部４０５は、デジタルカメラとの接続を制御し、ＣＰＵ４０１との通信を確立する。
【００１９】
インクジェットプリンタ１０１のＵＳＢデバイスインターフェース部４０６が、ＵＳＢケーブル１０５によってホストコンピュータ２０１と接続されることにより、ホストコンピュータ２０１から転送される画像データを印刷する機能が実現される。
【００２０】
図４は、本発明の実施形態としてのプリンタとデジタルカメラの接続状態を説明するブロック図である。
【００２１】
インクジェットプリンタ１０１のＵＳＢホストインターフェース部４０５が、ＵＳＢケーブル１０５によってデジタルカメラ３０１と接続されることにより、デジタルカメラ３０１から転送される画像データを印刷する機能が実現される。
【００２２】
図５は、ホストコンピュータ２０１と接続されたインクジェットプリンタ１０１の内部のモジュール構成を説明するブロック図である。各モジュールは、リアルタイムＯＳ上の各タスクとして実装されている。
【００２３】
ＵＳＢデバイスインターフェースモジュール５０１は、ＵＳＢデバイス端子に接続されたホストコンピュータ２０１と通信して、データのやり取りを行う。印字制御モジュール５０２は、ＵＳＢデバイスインターフェースモジュール５０１から入力された画像データを処理して、エンジンモジュール５０３に対して動作を指示する。
【００２４】
エンジンモジュール５０３は、印字制御モジュール５０２からの指示に従って、印字動作を行う。ユーザインターフェースモジュール５０４とデジタルカメラ画像処理モジュール５０５とＵＳＢホストインターフェースモジュール５０６は、デジタルカメラが接続されていない状態では動作を停止している。
【００２５】
図６は、デジタルカメラ３０１と接続されたインクジェットプリンタ１０１の内部のモジュール構成を説明するブロック図である。各モジュールは、リアルタイムＯＳ上の各タスクとして実装されている。
【００２６】
ＵＳＢデバイスインターフェースモジュール５０１は、デジタルカメラが接続された状態では動作を停止している。ＵＳＢホストインターフェースモジュール５０６は、ＵＳＢホスト端子に接続されたデジタルカメラ３０１と通信して、データのやり取りを行う。
【００２７】
ユーザインターフェースモジュール５０４は、オペレータパネル１０２からユーザによる印刷画像の指定を受け付けて、対象となる画像の処理をデジタルカメラ画像処理モジュール５０５に指示する。デジタルカメラ画像処理モジュール５０５は、ユーザインターフェースモジュール５０４から指示されたＪＰＥＧファイルを、ＵＳＢホストインターフェースモジュール５０６を介してデジタルカメラ３０１から読み込む。更に、ＪＰＥＧファイルの伸長、画像の向き（縦か横か）の修正、画像解像度の変換、ＲＧＢの多値データからＣＭＹＫの２値データへの変換といった処理を行い、生成した画像データを、印字制御モジュール５０２に出力する。
【００２８】
印字制御モジュール５０２は、デジタルカメラ画像処理モジュール５０５から入力された画像データを処理して、エンジンモジュール５０３に対して動作を指示する。エンジンモジュール５０３は、印字制御モジュール５０２からの指示に従って、印字動作を行う。
【００２９】
図７は、ＵＳＢデバイスインターフェースモジュール５０１の処理を説明するフローチャートである。
【００３０】
本モジュールが起動されると、まずステップＳ６０１において、ＵＳＢデバイスインターフェースモジュール５０１は、ホストコンピュータからのデバイスＩＤ返送要求があるかを判断し、要求があればステップＳ６０２へ、なければステップ６０３へ進む。
【００３１】
ステップＳ６０２においてＵＳＢデバイスインターフェースモジュール５０１は、図８に示した文字列をデバイスＩＤとして、ホストコンピュータへ返送し、ステップＳ６０１に戻る。
【００３２】
ステップＳ６０３において、ＵＳＢデバイスインターフェースモジュール５０１は、ホストコンピュータからのデータ受信要求があるかを判断し、要求があればステップＳ６０４へ進み、なければステップＳ６０１に戻る。
【００３３】
ステップＳ６０４において、ＵＳＢデバイスインターフェースモジュール５０１は、ホストコンピュータからのデータを受信し、ステップＳ６０１に戻る。
【００３４】
図９は、ＵＳＢホストインターフェースモジュール５０６の処理を説明するフローチャートである。
【００３５】
本モジュールが起動されると、まずステップＳ７０１において、ＵＳＢホストインターフェースモジュール５０６は、オペレータパネル１０２から自己接続テスト実行の要求があるかを判断する。要求があれば後に図１０を参照して説明する自己接続テスト処理Ｓ７０５へ進む。なければステップＳ７０２へ進む。
【００３６】
ステップＳ７０２において、ＵＳＢホストインターフェースモジュール５０６は、ＵＳＢホスト端子１０４にＵＳＢデバイスが接続されているかを判断し、接続されていればステップＳ７０３へ進み、接続されていなければステップＳ７０１へ戻る。
【００３７】
ステップＳ７０３において、ＵＳＢホストインターフェースモジュール５０６は、ＵＳＢデバイスに対してデバイスＩＤを要求し、ステップＳ７０４へ進む。
【００３８】
ステップＳ７０４において、ＵＳＢホストインターフェースモジュール５０６は、接続されているＵＳＢデバイスがＰＲＩＮＴＥＲがどうかを判断し、ＰＲＩＮＴＥＲならば後に図１０を参照して説明する自己接続テスト処理Ｓ７０５へ進む。そうでなければ通常のデジタルカメラに対する処理Ｓ７０６へ進む。
【００３９】
図１０は、ＵＳＢホストインターフェースモジュール５０６の自己接続テスト処理Ｓ７０５（接続テスト動作）を詳しく説明するフローチャートである。なお、この処理は、本発明でいう自己接続テスト手段の処理に対応する。
【００４０】
本処理が開始されると、まずステップＳ８０１において、ＵＳＢホストインターフェースモジュール５０６は、オペレータパネルに"自己接続テスト中"を表示して、ステップＳ８０２へ進む。
【００４１】
ステップＳ８０２において、ＵＳＢホストインターフェースモジュール５０６は、ＵＳＢホスト端子１０４にＵＳＢデバイスが接続されているかを判断し、接続されていればステップＳ８０３へ進み、接続されていなければステップＳ８０８へ進む。
【００４２】
ステップＳ８０３において、ＵＳＢホストインターフェースモジュール５０６は、ＵＳＢデバイスに対してデバイスＩＤを要求し、ステップＳ８０４へ進む。
【００４３】
ステップＳ８０４において、接続されているＵＳＢデバイスが図８に示す自分自身のデバイスＩＤと一致するかを判断し、一致すればステップＳ８０５へ進み、一致しなければステップＳ８０９へ進む。
【００４４】
ステップＳ８０５において、ＵＳＢホストインターフェースモジュール５０６は、ＵＳＢデバイスに対して図１１に示す自己接続テスト用データを送信して、ステップＳ８０６へ進む。
【００４５】
ステップＳ８０６において、ＵＳＢホストインターフェースモジュール５０６は、送信した自己接続テスト用データと、ＵＳＢデバイスインターフェースモジュール５０１が受信したデータが一致するかを判断し、一致すればステップＳ８０７へ進む。一致しなければステップＳ８１０へ進む。
【００４６】
ステップＳ８０７において、ＵＳＢホストインターフェースモジュール５０６は、オペレータパネルに"自己接続テストＯＫ"を表示して、処理を終了する。
【００４７】
なお、ステップＳ８０８では、ＵＳＢホストインターフェースモジュール５０６は、オペレータパネルに"接続エラー"を表示して、処理を終了する。ステップ８０９では、ＵＳＢホストインターフェースモジュール５０６は、オペレータパネルに"デバイスＩＤエラー"を表示して、処理を終了する。ステップ８１０では、ＵＳＢホストインターフェースモジュール５０６は、オペレータパネルに"データ転送エラー"を表示して、処理を終了する。
【００４８】
図１２は、本発明の実施形態としてのプリンタに自己接続テストを行わせるための接続状態を説明する斜視図である。工場での組立検査担当者や市場でのユーザは、ＵＳＢホスト端子１０４とＵＳＢデバイス端子１０３を、ＵＳＢケーブル１０５で接続することによって、プリンタに自己接続テストを開始させる。
【００４９】
ＵＳＢケーブルを接続してもプリンタが自己接続テストを開始しない場合には、オペレータパネル１０２から自己接続テスト実行の指示を出す。
【００５０】
図１３は、自己接続テストを開始してから"自己接続テストＯＫ"と表示されるまでの、ユーザと各モジュールとオペレータパネルとのやり取りの様子を説明する図である。
【００５１】
ユーザがＵＳＢホスト端子１０４とＵＳＢデバイス端子１０３とを、ＵＳＢケーブル１０５で接続すると、ＵＳＢホストインターフェースモジュール５０６はステップＳ７０３でデバイスＩＤを要求する。
【００５２】
ＵＳＢデバイスインターフェースモジュール５０１はステップＳ６０２でデバイスＩＤを返送する。
【００５３】
ＵＳＢホストインターフェースモジュール５０６はステップＳ８０１でオペレータパネルに"自己接続テスト中"と表示し、ステップＳ８０３でデバイスＩＤを要求する。
【００５４】
ＵＳＢデバイスインターフェースモジュール５０１はステップＳ６０２でデバイスＩＤを返送する。次にＵＳＢホストインターフェースモジュール５０６はステップＳ８０５でテスト用データを送信する。
【００５５】
ＵＳＢデバイスインターフェースモジュール５０１はステップＳ６０４でＵＳＢケーブルを介して受信したデータを受信バッファに格納する。
【００５６】
受信バッファはプリンタ内部のＲＡＭ４０３で構成されているので、ＵＳＢホストインターフェースモジュール５０６はステップＳ８０６で、受信バッファからデータを直接読み出す。そして、送信したテスト用データと一致するか確認し、ステップＳ８０７においてオペレータパネルに"自己接続テストＯＫ"と表示して処理を終了する。
【００５７】
図１４は、ＵＳＢケーブルやＵＳＢ端子が接触不良を起こしていた場合におけるユーザと各モジュールとオペレータパネルとのやり取りの様子を説明する図である。詳しくは、デバイスＩＤは読めることがあるが、テスト用データはデータ落ちが発生するような状況で、自己接続テストを実行した場合のユーザと各モジュールとオペレータパネルとのやり取りの様子を説明する図である。
【００５８】
ユーザがＵＳＢホスト端子１０４とＵＳＢデバイス端子１０３とを、ＵＳＢケーブル１０５で接続すると、ＵＳＢホストインターフェースモジュール５０６はステップＳ７０３でデバイスＩＤを要求する。
【００５９】
ＵＳＢデバイスインターフェースモジュール５０１はステップＳ６０２でデバイスＩＤを返送する。ＵＳＢホストインターフェースモジュール５０６はステップＳ８０１でオペレータパネルに"自己接続テスト中"と表示し、ステップＳ８０３でデバイスＩＤを要求する。
【００６０】
ＵＳＢデバイスインターフェースモジュール５０１はステップＳ６０２でデバイスＩＤを返送する。次にＵＳＢホストインターフェースモジュール５０６はステップＳ８０５でテスト用データを送信する。
【００６１】
ＵＳＢデバイスインターフェースモジュール５０１はステップＳ６０４でＵＳＢケーブルを介して受信したデータを受信バッファに格納する。
【００６２】
ＵＳＢホストインターフェースモジュール５０６はステップＳ８０６で、受信バッファからデータを直接読み出す。そして、送信したテスト用データと一致するか確認し、ここでデータの不一致が発見されるので、ステップＳ８１０においてオペレータパネルに"データ転送エラー"と表示して処理を終了する。
【００６３】
図１５は、ＵＳＢケーブルやＵＳＢ端子が断線を起こしていて、デバイスＩＤすら読めないような状況で、自己接続テストを実行した場合の、ユーザと各モジュールとオペレータパネルとのやり取りの様子を説明する図である。
【００６４】
ユーザがＵＳＢホスト端子１０４とＵＳＢデバイス端子１０３とを、ＵＳＢケーブル１０５で接続しても、ＵＳＢホストインターフェースモジュール５０６は接触不良のため接続を確認できず、何も動作しない。
【００６５】
ユーザは、接続テストを開始しないので、オペレータパネル１０２から自己接続テスト実行の指示を出す。するとＵＳＢホストインターフェースモジュールは、ステップＳ７０１からステップＳ７０５へ進み、ステップＳ８０１でオペレータパネルに"自己接続テスト中"と表示する。
【００６６】
しかしステップＳ８０２で、ＵＳＢデバイスの接続が確認できないので、ステップＳ８０８においてオペレータパネルに"接続エラー"と表示して処理を終了する。
【００６７】
以上説明したように、本実施形態によれば、デジタルカメラダイレクト印刷機能つきプリンタに関して、工場での量産時において、デジタルカメラと接続するＵＳＢホスト端子の機能についての動作確認をプリンタ単体で実行できる。よって、生産コストを削減することができる。
【００６８】
また、ユーザは動作不具合が発生したときに、その原因がプリンタやＵＳＢケーブルにあるのかどうかを切り分けることができ、不具合の解消が容易になる。
【００６９】
なお、自己接続テストを実行するトリガは、本実施形態で示したようなＵＳＢケーブルのループ接続とオペレータパネルからの指示とするだけでなく、工場出荷時の検査パターン印字を指示されたときに実行して結果を検査パターンに印字しても良い。また、ユーザに混乱を与えないためユーザモードでは動作しないようにしても良い。
【図面の簡単な説明】
【００７０】
【図１】本発明の実施形態としてのプリンタとホストコンピュータの接続状態を説明する斜視図である。
【図２】本発明の実施形態としてのプリンタとデジタルカメラの接続状態を説明する斜視図である。
【図３】本発明の実施形態としてのプリンタとホストコンピュータの接続状態を説明するブロック図である。
【図４】本発明の実施形態としてのプリンタとデジタルカメラの接続状態を説明するブロック図である。
【図５】ホストコンピュータと接続されたインクジェットプリンタの内部のモジュール構成を説明するブロック図である。
【図６】デジタルカメラと接続されたインクジェットプリンタの内部のモジュール構成を説明するブロック図である。
【図７】ＵＳＢデバイスインターフェースモジュールの処理を説明するフローチャートである。
【図８】デバイスＩＤの文字列を示す図である。
【図９】ＵＳＢホストインターフェースモジュールの処理を説明するフローチャートである。
【図１０】ＵＳＢホストインターフェースモジュールの自己接続テスト処理を詳しく説明するフローチャートである。
【図１１】自己接続テスト用データを示す図である。
【図１２】本発明の実施形態としてのプリンタに自己接続テストを行わせるための接続状態を説明する斜視図である。
【図１３】自己接続テストを開始してから"自己接続テストＯＫ"と表示されるまでの、ユーザと各モジュールとオペレータパネルとのやり取りの様子を説明する図である。
【図１４】ＵＳＢケーブルやＵＳＢ端子が接触不良を起こしていて、デバイスＩＤは読めることがあるが、テスト用データはデータ落ちが発生するような状況で、自己接続テストを実行した場合の、ユーザと各モジュールとオペレータパネルとのやり取りの様子を説明する図である。
【図１５】ＵＳＢケーブルやＵＳＢ端子が断線を起こしていて、デバイスＩＤすら読めないような状況で、自己接続テストを実行した場合の、ユーザと各モジュールとオペレータパネルとのやり取りの様子を説明する図である。
【符号の説明】
【００７１】
１０１  インクジェットプリンタ
１０２  オペレータパネル
１０３  ＵＳＢデバイス端子
１０４  ＵＳＢホスト端子
１０５  ＵＳＢケーブル
２０１  ホストコンピュータ
２０２  ＵＳＢホスト端子
３０１  デジタルカメラ
３０２  ＵＳＢデバイス端子
４０１  ＣＰＵ
４０２  ＲＯＭ
４０３  ＲＡＭ
４０４  プリンタ機構部
４０５  ＵＳＢホストインターフェース部
４０６  ＵＳＢデバイスインターフェース部
５０１  ＵＳＢデバイスインターフェースモジュール
５０２  印字制御モジュール
５０３  エンジンモジュール
５０４  ユーザインターフェースモジュール
５０５  デジタルカメラ画像処理モジュール
５０６  ＵＳＢホストインターフェースモジュール
【図１】
2008296517.tif 000003
【図２】
2008296517.tif 000004
【図３】
2008296517.tif 000005
【図４】
2008296517.tif 000006
【図５】
2008296517.tif 000007
【図６】
2008296517.tif 000008
【図７】
2008296517.tif 000009
【図８】
2008296517.tif 000010
【図９】
2008296517.tif 000011
【図１０】
2008296517.tif 000012
【図１１】
2008296517.tif 000013
【図１２】
2008296517.tif 000014
【図１３】
2008296517.tif 000015
【図１４】
2008296517.tif 000016
【図１５】
2008296517.tif 000017